(57)【要約】【課題】電球の着脱を簡単に行うことができるのに加え、電球の口金を強固に固定することができ、電球の脱落を防止する。【解決手段】電球との電気的接続を行う接点４，５が内部に配置されると共にねじ部を有する電球の口金が挿入口１３から挿入される取付穴１ａが形成されたソケットケース１と、取付穴１ａの奥側に向かうにつれて挿入口１３から徐々に離れるように傾斜したガイド面１１を有し、取付穴１ａと連通するようにソケットケース１の内部に形成されたガイド穴１０と、ガイド面１１に沿って移動するようにガイド穴１０に設けられ、挿入口１３方向への移動によって口金のねじ部と係合する係合部材２と、口金のねじ部との係合方向に移動するように係合部材２を付勢する弾性部材３とを備える。【選択図】図４
2008210608.tif 000002
【特許請求の範囲】
【請求項１】
電球との電気的接続を行う接点が内部に配置されると共にねじ部を有する電球の口金が挿入口から挿入される取付穴が形成されたソケットケースと、
前記取付穴の奥側に向かうにつれて前記挿入口から徐々に離れるように傾斜したガイド面を有し、前記取付穴と連通するようにソケットケースの内部に形成されたガイド穴と、
前記ガイド面に沿って移動するようにガイド穴に設けられ、前記挿入口方向への移動によって前記口金に係合する係合部材と、
前記口金との係合方向に移動するように係合部材を付勢する弾性部材と、を備えていることを特徴とする電球用ソケット。
【請求項２】
前記係合部材は、前記口金のねじ部に係合するねじ部が形成された係合駒であることを特徴とする請求項１記載の電球用ソケット。
【請求項３】
前記係合部材は、前記口金のねじ部に係合する係合シャフト又は係合球であることを特徴とする請求項１記載の電球用ソケット。
【請求項４】
前記弾性部材の付勢力に抗して係合部材を口金から離反させる操作部材が係合部材に連結していることを特徴とする請求項１〜３のいずれか１項記載の電球用ソケット。
【請求項５】
前記操作部材は、前記係合部材に連結される連結シャフトと、連結シャフトに連結された状態で前記ソケットケースの外側に操作移動可能に設けられる操作片とを備え、前記弾性部材は操作片を介して前記係合部材を口金との係合方向に付勢していることを特徴とする請求項４記載の電球用ソケット。
【発明の詳細な説明】
【技術分野】
【０００１】
本発明は、白熱電球、電球型蛍光灯等のねじ込み式の口金を有する電球を取り付けるためのソケットに関する。
【背景技術】
【０００２】
ねじ込み式の口金を有する電球をソケットへ取り付ける場合には、口金の外面に形成されている雄ねじ部をソケットの取付穴内面に形成した雌ねじ部に一致させ、電球をソケットに向かって押し付けながら回転させてねじ部を相互に螺合させる必要がある。従って、電球のソケットへの取り付けは手間が掛かる作業となっていた。また、一般にソケットは、天井等の高い場所に取り付けられていることが多いため、梯子や椅子を用いて背伸びや腕を伸ばしながら上述した作業を行う必要がある。このため、転落や怪我等の危険性を伴う作業となっている。
【０００３】
以上のことから、電球のソケットへの着脱を容易に行う技術が従来より開発されている。特許文献１には、電球の口金が挿入されるソケットの取付穴内に第１及び第２接触片を設ける構造が開示されている。第１接触片は「く」字形に屈曲された板ばねからなり、電球の口金のねじ部に側面側から弾性的に係合する。第２接触片は口金の先端凸部に対向しており、電球の口金を取付穴に挿入することにより、口金の先端凸部が嵌合する。
【０００４】
この構造では、電球の口金をソケットの取付穴に押し込むことにより、第１接触片が口金のねじ部に側面から弾性的に係合する。又、第２接触片に口金の先端凸部が嵌合することにより電球が位置決めされる。従って、電球をソケットに押し込むだけで簡単に取り付けることが可能となっている。この構造では、第２の接触片は電球のソケットに対する位置決めを行うだけであり、基本的には第１の接触片が弾性力によって口金に係合することにより電球をソケットに固定するものである。
【特許文献１】特開２０００−７７１４６号公報
【発明の開示】
【発明が解決しようとする課題】
【０００５】
従来の構造では、第１の接触片は弾性力によって口金のねじ部を支えるため、電球の挿入代が最大１ピッチずれる可能性があり、１ピッチずれることにより口金の挿入代が大きくばらつく。さらに、口金に係合して電球を固定する係合力は、第１の接触片の弾性力だけであるため、第１の接触片が口金から離れやすい。このため、電球をソケットに強固に固定することができない。従って、振動等によって電球の固定力が緩み易く、電球が不用意に脱落する問題を有している。
【０００６】
本発明は、このような問題点を考慮してなされたものであり、電球を簡単に着脱できるのに加えて、電球の口金を強固に固定することができ、電球の脱落を防止することが可能な電球用ソケットを提供することを目的とする。
【課題を解決するための手段】
【０００７】
請求項１記載の発明の電球用ソケットは、電球との電気的接続を行う接点が内部に配置されると共にねじ部を有する電球の口金が挿入口から挿入される取付穴が形成されたソケットケースと、前記取付穴の奥側に向かうにつれて前記挿入口から徐々に離れるように傾斜したガイド面を有し、前記取付穴と連通するようにソケットケースの内部に形成されたガイド穴と、前記ガイド面に沿って移動するようにガイド穴に設けられ、前記挿入口方向への移動によって前記口金に係合する係合部材と、前記口金との係合方向に移動するように係合部材を付勢する弾性部材と、を備えていることを特徴とする。
【０００８】
請求項１記載の発明では、係合部材がガイド面に沿って移動することにより係合部材が電球の口金と係合し、これにより、電球がソケットに取り付けられる。ガイド面は、取付穴の奥側に向かうにつれて取付穴の挿入口から徐々に離れるように傾斜しているため、係合部材はガイド面の楔作用によって口金との係合力が大きくなる。従って、電球を強固に固定でき、不用意な脱落がなくなる。
【０００９】
請求項２記載の発明は、請求項１記載の電球用ソケットであって、前記係合部材は、前記口金のねじ部に係合するねじ部が形成された係合駒であることを特徴とする。
【００１０】
請求項３記載の発明は、請求項１記載の電球用ソケットであって、前記係合部材は、前記口金のねじ部に係合する係合シャフト又は係合球であることを特徴とする。
【００１１】
請求項４記載の発明は、請求項１〜３のいずれか１項記載の電球用ソケットであって、前記弾性部材の付勢力に抗して係合部材を口金から離反させる操作部材が係合部材に連結していることを特徴とする。
【００１２】
請求項５記載の発明は、請求項４記載の電球用ソケットであって、前記操作部材は、前記係合部材に連結される連結シャフトと、連結シャフトに連結された状態で前記ソケットケースの外側に操作移動可能に設けられる操作片とを備え、前記弾性部材は操作片を介して前記係合部材を口金との係合方向に付勢していることを特徴とする。
【発明の効果】
【００１３】
本発明によれば、取付穴の奥側に向かうにつれて取付穴の挿入口から徐々に離れるように傾斜したガイド面上を係合部材が移動して電球の口金と係合する。この構造では、ガイド面の楔作用によって口金と大きな係合力で係合部材が係合するため、電球を強固に固定でき、不用意な脱落がなくなる。
【発明を実施するための最良の形態】
【００１４】
以下、本発明を図示する実施形態により具体的に説明する。なお、各実施形態において同一の部材には同一の符号を付して対応させてある。
【００１５】
（第１実施形態）
図１〜図４は本発明の第１実施形態であり、図１はソケットＳ１、図２はソケットケース１、図３は係合部材としての係合駒２、図４は作動をそれぞれ示す。
【００１６】
この実施形態のソケットＳ１は、ソケットケース１と、係合部材としての係合駒２と、弾性部材としてのばね３と、電球との電気的導通を行うための接点４、５とを備えている。ソケットに取り付けられる電球２０は、図４に示すように電球本体２３の上部に口金２１が設けられ、口金２１の外周面にねじ部（雄ねじ部）が形成された構造であり、口金２１は円筒状の外面となっている。
【００１７】
ソケットケース１は、図１及び図２に示すように取付穴１ａを有している。取付穴１ａは電球２０の口金２１が挿入されるものであり、円筒形状の穴となっている。取付穴１ａの下端部は開口されることにより、口金２１が挿入される挿入口１３となっている。
【００１８】
取付穴１ａの上部におけるソケットケース１には、取付穴１ａに連通する挿通孔１ｅが形成されている。挿通孔１ｅは接点４、５を取付穴１ａ内に引き込むものであり、接点４は取付穴１ａの底面に位置し、接点５は取付穴１ａの側面に位置するようにソケットケース１に取り付けられる。電球２０をソケットＳ１に取り付けることにより、図４に示すように、接点４は電球２０の口金２１の先端部と接触し、接点５は口金２１の側面と接触する。これらの接触により電球２０が電気的導通状態となって点灯が可能となる。ソケットケース１の内部には、接点５をソケットケース１に取り付けるための溝部１ｆが取付穴１ａに臨むように形成されている（図２参照）。
【００１９】
図２に示すように、ソケットケース１にはガイド穴１０が形成されている。ガイド穴１０は矩形状となっている。ガイド穴１０はソケットケース１の内側面に形成されており、取付穴１ａと連通している。ガイド穴１０にはガイド面１１が形成される。ガイド面１１はガイド穴１０の底面に位置しており、係合駒２が移動するスライド面となる。ガイド面１１は取付穴１ａの奥側に向かうにつれて挿入口１３から徐々に離れるように傾斜している。
【００２０】
係合部材としての係合駒２は、ガイド穴１０の内部に移動可能に挿入される。係合駒２は図３に示すように、外形が矩形状となっており、その両側面２ｃがガイド穴１０の内面と接触し、この接触状態でガイド穴１０内をスライド移動する。従って、ガイド穴１０内での移動の際に係合駒２ががたつくことがない。なお、係合駒２がガイド穴１０内に挿入された後においては、係合駒２はガイド穴１０内から脱落しないようになっている。係合駒２はガイド穴１０のガイド面１１に沿って移動するものであり、ガイド面１１に対応した斜面２ａが背面側に形成されている。また、係合駒２の前面には、口金２１のねじ部２２に螺合するねじ部（雌ねじ部）２ｂが形成されている。
【００２１】
弾性部材としてのばね３は、係合駒２の上方に配置されるものであり、ソケットケース１の内部には、ばね３がセットされるばね受け穴１ｄが形成されている。ばね受け穴１ｄはガイド穴１０の上部に形成されるものであり、ガイド穴１０から直線的に延びている。ばね３はばね受け穴１ｄに挿入されることにより、ガイド穴１０内の係合駒２を弾性的に押圧する。この押圧により係合駒２はガイド面１１に沿って下方に移動するように付勢される。すなわち、ばね３は係合駒２が取付穴１ａの挿入口１３の方向に移動するように付勢するものであり、この移動により、後述するように係合駒２が口金２１のねじ部２２に係合する。
【００２２】
次に、この実施形態のソケットＳ１に対する電球２０の取り付けを図４により説明する。電球２０の口金２１の中心と、ソケットケース１の中心とを合わせた後、図４（ａ）の矢印Ｅで示すように電球２０の口金２１を挿入口１３から取付穴１ａ内に押し込む。この押し込みによって口金２１のねじ部２２が係合駒２の下面に当たり、図４（ｂ）で示すように、係合駒２がガイド面１１上を矢印Ｆで示す斜め上方にスライド移動してねじ部２２から退避する。このため、電球２０を回転させることなくソケットケース１に押し込むことができる。
【００２３】
図４（ｃ）は電球２０の口金２１を取付穴１ａに押し込んだ状態を示し、接点４が口金２１の先端部と接触すると共に、接点５が口金２１の側面と接触する。また、係合駒２はばね３の付勢力により、ガイド面１１に沿って矢印Ｈで示す斜め下方にスライド移動する。すなわち、係合駒２は挿入口１３に向かってスライド移動する。このスライド移動により、係合駒２は口金２１と係合する。このとき、係合駒２の前面のねじ部２ｂは口金２１のねじ部２２と係合する。このように係合駒２が口金２１と係合した状態では、電球２０から手を離しても電球２０がソケットＳ１から脱落することがない。
【００２４】
その後、電球２０を矢印Ｇで示す締め付け方向（この実施形態では時計方向）に回転させる。この回転により、係合駒２が口金２１に係合しながら矢印Ｈ方向で示す斜め下方（挿入口１３の方向）にスライド移動し、ねじ部２ｂが口金２１のねじ部２２に係合するため、係合駒２は口金２１に強固に係合する。これと同時に、口金２１の外周面が取付穴１ａの内周面に押し付けられるため、口金２１は係合駒２と取付穴１ａの係合駒２と相対している内周面との間に挟まれて保持される。これにより、電球２０がソケットＳ１に取り付けられる。
【００２５】
電球２０をソケットＳ１から外す場合は、電球２０を反締め付け方向である反Ｇ方向（この実施形態では、反時計方向）に回転させることにより行う。
【００２６】
このような実施形態では、電球２０の口金２１をソケットケース１の取付穴１ａに押し込むことにより、係合駒２が口金２１に係合して電球２０が取り付けられるため、電球２０を簡単に取り付けることができる。係合駒２の口金２１との係合は、係合駒２がガイド面１１に沿って斜め下方に移動することにより係合する楔構造となっている。このようなガイド面１１の楔作用では、係合駒２が口金２１を保持する力（口金２１を押圧する力）を増大させることができ、電球２０を強固に固定できる。従って、電球２０が不用意に脱落することなくソケットＳ１に確実に装着できる。特に、この実施形態では、係合駒２の前面にねじ部２ｂが形成され、このねじ部２ｂが口金２１のねじ部２２と係合するため、係合駒２と口金２１との係合がさらに強固になるメリットがある。
【００２７】
（第２実施形態）
図５〜図９は本発明の第２実施形態であり、図５はこの実施形態のソケットＳ２、図６は係合駒２、図７はソケットケース１、図８は操作部材７、図９は作動をそれぞれ示す。
【００２８】
この実施形態のソケットＳ２では、第１実施形態のソケットＳ１に対し操作部材７が付加されるものである。操作部材７は係合駒２と連結された状態で設けられる。
【００２９】
操作部材７は図８に示す操作片１４と、連結シャフト６とを有している。操作片１４は、図８に示すように連結部１４ａの両側から脚部１４ｃが一体的に形成されたコ字形となっている。操作片１４とソケットケース１との間には、弾性部材としてのばね８が配置される。ばね８は操作片１４の連結部１４ａに形成したばね受け部１４ｂに一端側が挿入され、他端側がソケットケース１の外面に当接している。操作片１４はソケットケース１の外面にスライド操作可能に取り付けられる。操作片１４のスライド移動を案内するため、ソケットケース１の外面には、両脚部１４ｃが移動するスライド溝１ｈが横方向に形成されている（図７参照）。
【００３０】
連結シャフト６は操作片１４と係合駒２とを連結するものであり、係合駒２には連結シャフト６が貫通するシャフト穴２ｄが形成されている（図６参照）。ソケットケース１には、連結シャフト６が貫通する長穴１ｇが形成されている。長穴１ｇは図７に示すように、ガイド穴１０のガイド面１１と同じ傾斜となっている。さらに、操作片１４の両脚部１４ｃには連結シャフト６が貫通する長穴１４ｄが形成されている。長穴１４ｄは上下方向に延びており、ソケットケース１の長穴１ｇと交差している。
【００３１】
この実施形態では、ソケットケース１の長穴１ｇ、係合駒２のシャフト穴２ｄ及び操作片１４の長穴１４ｄにかけて連結シャフト６を挿入する。これにより係合駒２は連結シャフト６を介して操作片１４と連結される。従って、操作部材７への操作によって係合駒２が移動する。具体的には、操作部材７の操作片１４をソケットケース１方向に押すことにより連結シャフト６が長穴１ｇに沿って斜め上方に移動し、これに伴って係合駒２がガイド面１１上を斜め上方にスライド移動する。
【００３２】
また、操作片１４とソケットケース１との間にばね８を挟み込む。ばね８は操作片１４がソケットケース１から離れるように付勢しており、この方向の付勢力が連結シャフト６を介して係合駒２に伝達される。これにより、係合駒２は挿入口１３の方向である斜め下方に向かってガイド面１１上をスライド移動するように付勢されている。
【００３３】
図９は、この実施形態のソケットＳ２の作用を示す。ソケットＳ２に対する電球２０の取り付けは、第１実施形態と同様であり、電球２０の取り付けを簡単に行うことができる。また、係合駒２がガイド面１１に沿って斜め下方に移動するため、ガイド面１１の楔作用により係合駒２の電球保持力が大きくなり、電球２０の脱落を防止できる。電球２０の取り外しは図９に示す手順により行う。
【００３４】
図９（ａ）に示すように、電球２０を反締め付け方向である矢印Ｉ方向（この実施形態では反時計方向）に少しの量だけ回転させて係合駒２を口金２１から離反させる。これは、電球２０をソケットＳ２に取り付けた後においては、上述した楔作用によって係合駒２が口金２１に強固に係合しており、操作片１４への操作を行うには係合力を少し緩める必要があることによる。
【００３５】
次に、図９（ｂ）に示すように操作部材７の操作片１４に対し矢印Ｊ方向の力を加えてソケットケース１方向に操作片１４を押す。このことにより、連結シャフト６を介して操作力が係合駒２に伝達され、係合駒２がガイド面１１上を矢印Ｋで示す斜め上方にスライド移動して口金２１から離反する。従って、係合駒２が口金２１との係合から離脱する。この状態では、図９（ｃ）に示すように操作片１４を矢印Ｊ方向に押したままで、電球２０を矢印Ｌ方向へ引き抜くことができ、電球２０をソケットＳ２から簡単に取り外すことができる。
【００３６】
このような実施形態では、第１実施形態と同様に、ガイド面１１の楔作用によって係合駒２の係合力が増大しているため、電球２０を確実に装着できる。これに加えて、操作部材７を設けているため、ソケットから電球２０を簡単に取り外すことが可能となっている。
【００３７】
（第３実施形態）
図１０及び図１１は本発明の第３実施形態であり、図１０はこの形態のソケットＳ３、図１１はソケットケース１を示す。
【００３８】
この実施形態では、電球２０の口金２１のねじ部２２に係合する係合部材として係合シャフト１６を用いるものである。係合シャフト１６は、口金２１に形成されているねじ部２２のピッチ幅とほぼ同等の径を有した横長の棒体となっている。係合シャフト１６は、その長さ方向の両端部１６ａがソケットケース１に形成したガイド穴１７に挿入される。図１１に示すように、ガイド穴１７の底面は、係合シャフト１６がスライド移動するガイド面１１となっている。そして、ガイド面１１を含むガイド穴１７の全体は、取付穴１ａの奥側に向かうにつれて挿入口１３から徐々に離れるように傾斜している。この場合、ガイド面１１だけを取付穴１ａの奥側に向かうにつれて挿入口１３から徐々に離れるように傾斜するように形成しても良い。
【００３９】
ガイド穴１７は取付穴１ａと連通しており、その内部には弾性部材としてのばね３が設けられている。係合シャフト１６は、ガイド穴１７に沿って上下方向に往復移動可能となっている。ばね３は係合シャフト１６が挿入口１３方向にガイド穴１７内を移動するように付勢している。これにより、係合シャフト１６は口金２１と係合する方向に移動するように付勢されている。
【００４０】
この実施形態において、電球２０の口金２１を挿入口１３から取付穴１ａ内に挿入する。この挿入によって口金２１のねじ部２２が係合シャフト１６に当たり、係合シャフト１６がガイド面１１上を斜め上方に移動する。従って、電球２０を回転させることなく口金２１を取付穴１ａに押し込むことができる。口金２１のねじ部２２の先端部が接点４に接触するまで電球２０を押し込んだ状態では、ばね３によって付勢されている係合シャフト１６がガイド面１１上を斜め下方（挿入口１３方向）に移動移動して口金２１（口金２１のねじ部２２）に係合する。このため、電球２０から手を離しても電球２０が脱落することがない。
【００４１】
その後においては、電球２０を締め付け方向（図４の矢印Ｇ方向参照）に回転させることにより、係合シャフト１６が口金２１に係合しながらガイド面１１上を斜め下方に移動する。従って、ガイド面１１の楔作用によって係合シャフト１６が口金２１に強固に係合し、電球２０が安定して取り付けられる。この実施形態においても、傾斜しているガイド面１１の楔作用によって係合シャフト１６が強固に口金２１に係合する。従って、電球２０が不用意に脱落することがなくなる。
【００４２】
電球２０をソケットＳ３から取り外す場合には、電球２０を反締め付け方向（反時計方向）に回転させて行う。
【００４３】
（第４実施形態）
図１２及び図１３は、本発明の第４実施形態であり、図１２はソケットＳ４、図１３はソケットケース１を示す。
【００４４】
この実施形態では、口金２１に係合する係合部材として第３実施形態の係合シャフト１６を用いると共に、係合シャフト１６の係合を解除するため第２実施形態の操作部材７を設けるものである。
【００４５】
ソケットケース１には、係合シャフト１６をスライド移動させるためのガイド穴１７が形成されている。図１３に示すように、ガイド穴１７の底面は、係合シャフト１６がスライド移動するガイド面１１となっている。ガイド面１１を含むガイド穴１７の全体は、取付穴１ａの奥側に向かうにつれて挿入口１３から徐々に離れるように傾斜している。この場合、ガイド面１１だけを取付穴１ａの奥側に向かうにつれて挿入口１３から徐々に離れるように傾斜するように形成しても良い。
【００４６】
係合シャフト１６はその両端部１６ａがソケットケース１から抜き出ており、操作片１４の両脚部１４ｃに連結される。この場合、操作片１４の両脚部１４ｃには上下方向の長穴１４ｄが形成されており、係合シャフト１６の両端部１６ａは長穴１４ｄに挿入されることにより操作片１４に連結される。弾性部材としてのばね８を操作片１４とソケットケース１との間に設けることにより、操作片１４を介して係合シャフト１６が口金２１との係合方向に移動するように付勢している。
【００４７】
この実施形態では、電球２０の口金２１を挿入口１３から取付穴１ａ内に押し込む。このことにより、口金２１のねじ部２２が係合シャフト１６に当たり、係合シャフト１６がガイド面１１上を斜め上方に移動して退避するため、電球２０を回転させることなく口金２１を取付穴１ａに押し込むことができる。電球２０を押し込んだ状態では、ばね８によって付勢されている係合シャフト１６がガイド面１１上を斜め下方（挿入口１３の方向）に移動して口金２１（口金２１のねじ部２２）に係合し、これにより電球２０をソケットＳ４に取り付けることができる。このとき、係合シャフト１６が移動するガイド面１１の楔作用によって係合シャフト１６が強固に口金２１に係合するため、電球２０が不用意に脱落することがなくなる。
【００４８】
一方、ソケットＳ４から電球２０を取り外す場合には、操作片１４を反締め付け方向（図９の矢印Ｉ方向）に少し回転させて係合シャフト１６を口金２１から離反させる。そして、操作片１４を押して（図９の矢印Ｊ方向に押して）係合シャフト１６をガイド面１１に沿って斜め上方に移動させて口金２１から離反させる。これにより、係合シャフト１６を口金２１との係合から離脱させる。その後、操作片１４を押したままで（図９の矢印Ｊ方向に押したままで）、電球２０をソケットＳ４から引き抜く（図９の矢印Ｌ方向に引き抜く）ことにより電球２０をソケットＳ４から取り外す。
【００４９】
（第５実施形態）
図１４及び図１５は、本発明の第５実施形態のソケットＳ５であり、図１４はソケットＳ５、図１５はソケットケース１を示す。
【００５０】
この実施形態では、電球２０の口金２１のねじ部２２に係合する係合部材として係合球１８を用いるものである。係合球１８は、口金２１のねじ部２２のピッチ幅とほぼ同等の直径となっている球体が用いられる。係合球１８は、ソケットケース１に形成されたガイド穴１７内に挿入される。この場合、係合球１８は取付穴１ａ内に突出するが、ガイド穴１７から抜け落ちることがないようになっている。
【００５１】
ガイド穴１７の底面は、係合球１８が移動するガイド面１１となっている。図１３に示すように、ガイド面１１を含むガイド穴１７の全体は、取付穴１ａの奥側に向かうにつれて取付穴１ａの挿入口１５から徐々に離れるように傾斜している。この場合、ガイド面１１だけを取付穴１ａの奥側に向かうにつれて挿入口１３から徐々に離れるように傾斜するように形成しても良い。ガイド穴１７内には、弾性部材としてのばね３が設けられている。ばね３は係合球１８が口金２１と係合する方向（斜め下方）に移動するように付勢している。
【００５２】
この実施形態では、電球２０の口金２１を挿入口１３から取付穴１ａ内に挿入する。この挿入によって口金２１のねじ部２２が係合球１８に当たり、係合球１８がガイド面１１上を斜め上方に移動して退避する。従って、電球２０を回転させることなく口金２１を取付穴１ａに押し込むことができる。口金２１のねじ部２２の先端部が接点４に接触するまで電球２０を押し込んだ状態では、ばね３によって付勢されている係合球１８がガイド面１１上を斜め下方（挿入口１３の方向）に移動移動して口金２１（口金２１のねじ部２２）に係合する。このため、電球２０から手を離しても電球２０が脱落することがない。その後においては、電球２０を締め付け方向（図４の矢印Ｇ方向参照）に回転させて係合球１８をガイド面１１上を斜め下方に移動させることにより、口金２１に強固に係合させる。これにより電球２０の取り付けが行われる。
【００５３】
電球２０をソケットＳ５から取り外す場合には、従来と同様に電球２０を反締め付け方向（反時計方向）に回転させることにより行う。
【００５４】
この実施形態においても、ガイド面１１の楔作用によって係合球１８が口金２２のねじ部２２に強固に係合するため、電球２０を安定してソケットＳ５に取り付けることができる。
【００５５】
本発明は、以上の実施形態に限定されることなく種々変形が可能である。例えば、係合部材を付勢する弾性部材としては、ゴム等の弾性体を用いることができる。
【図面の簡単な説明】
【００５６】
【図１】本発明の第１実施形態のソケットを示し、（ａ）は平面図、（ｂ）は側面図、（ｃ）は底面図、（ｄ）はＡ−Ａ線断面図、（ｅ）はＢ−Ｂ線断面図、（ｆ）はＣ−Ｃ線断面図である。
【図２】第１実施形態のソケットに用いるソケットケースを示し、（ａ）は側面図、（ｂ）は底面図、（ｃ）はＡ１−Ａ１線断面図、（ｄ）はＢ１−Ｂ１線断面図、（ｅ）はＣ１−Ｃ１線断面図である。
【図３】第１実施形態のソケットに用いる係合駒を示し、（ａ）は側面図、（ｂ）は正面図である。
【図４】（ａ）〜（ｄ）は第１実施形態のソケットへの電球の取り付け手順を示す断面図である。
【図５】本発明の第２実施形態のソケットを示し、（ａ）は平面図、（ｂ）は側面図、（ｃ）は底面図、（ｄ）はＡ２−Ａ２線断面図、（ｅ）は側面図である。
【図６】第２実施形態のソケットに用いる係合駒を示し、（ａ）は側面図、（ｂ）は正面図である。
【図７】第２実施形態のソケットに用いるソケットケースを示し、（ａ）は側面図、（ｂ）は底面図、（ｃ）はＡ３−Ａ３線断面図、（ｄ）はＢ３−Ｂ３線断面図、（ｅ）はＣ３−Ｃ３線断面図である。
【図８】第２実施形態のソケットに用いる操作片を示し、（ａ）は平面図、（ｂ）は側面図、（ｃ）はＡ４−Ａ４線断面図である。
【図９】（ａ）〜（ｃ）は第２実施形態のソケットから電球の取り外し手順を示す断面図である。
【図１０】本発明の第３実施形態のソケットを示し、（ａ）は平面図、（ｂ）は側面図、（ｃ）は底面図、（ｄ）はＡ５−Ａ５線断面図、（ｅ）はＢ５−Ｂ５線断面図である。
【図１１】第３実施形態のソケットに用いるソケットケースを示し、（ａ）は平面図、（ｂ）は側面図、（ｃ）はＡ６−Ａ６線断面図である。
【図１２】本発明の第４実施形態のソケットを示し、（ａ）は平面図、（ｂ）は側面図、（ｃ）は底面図、（ｄ）はＡ７−Ａ７線断面図である。
【図１３】第４実施形態のソケットに用いるソケットケースを示し、（ａ）は平面図、（ｂ）は側面図、（ｃ）はＡ８−Ａ８線断面図、（ｄ）はＢ８−Ｂ８線断面図である。
【図１４】本発明の第５実施形態のソケットを示し、（ａ）は平面図、（ｂ）は側面図、（ｃ）は底面図、（ｄ）はＡ９−Ａ９線断面図、（ｅ）はＢ９−Ｂ９線断面図、（ｆ）は側面図である。
【図１５】第５実施形態のソケットに用いるソケットケースを示し、（ａ）は平面図、（ｂ）は側面図、（ｃ）はＡ１０−Ａ１０線断面図、（ｄ）はＢ１０−Ｂ１０線断面図である。
【符号の説明】
【００５７】
１  ソケットケース
１ａ  取付穴
２  係合駒
３、８  ばね
４、５  接点
６  連結シャフト
７  操作部材
１０，１７  ガイド穴
１１  ガイド面
１３  挿入口
１４  操作片
１６  係合シャフト
１８  係合球
２０  電球
２１  口金
２２  ねじ部
【図１】
2008210608.tif 000003
【図２】
2008210608.tif 000004
【図３】
2008210608.tif 000005
【図４】
2008210608.tif 000006
【図５】
2008210608.tif 000007
【図６】
2008210608.tif 000008
【図７】
2008210608.tif 000009
【図８】
2008210608.tif 000010
【図９】
2008210608.tif 000011
【図１０】
2008210608.tif 000012
【図１１】
2008210608.tif 000013
【図１２】
2008210608.tif 000014
【図１３】
2008210608.tif 000015
【図１４】
2008210608.tif 000016
【図１５】
2008210608.tif 000017